(57)【特許請求の範囲】
【請求項１】
ハンドオーバのための方法であって、
ｅＮＢにより、ネットワーク側および端末がＣＤＭＡ２０００（符号分割多重接続２０００）  １ｘネットワークに対するＣＳＦＢ（エンハンスト回路交換フォールバック）をサポートすることを示すために使用される指示情報をＭＭＥ（移動管理エンティティ）から受信し、前記ＣＤＭＡ２０００  １ｘネットワークに対するエンハンストＣＳＦＢを行うことを決定し、ＨＲＰＤ（高速パケットデータ）ネットワークへのハンドオーバを行うことを決定するステップと、
前記ｅＮＢにより、前記端末に、前記ＣＤＭＡ２０００  １ｘネットワークに対するエンハンストＣＳＦＢを行わせるため、および前記ＨＲＰＤネットワークへのハンドオーバを行わせるために使用される、第１のメッセージを前記端末に送信するステップと
を含む方法。
【請求項２】
前記ｅＮＢにより、指示情報を前記ＭＭＥから受信する前記ステップの前に、
前記ｅＮＢにより、前記端末のネットワークケイパビリティまたは無線ケイパビリティである、前記端末のＳＶＤＯ（音声及びデータのみの同時通信）をサポートするＳＶＤＯケイパビリティを受信するステップ
をさらに含む、請求項１に記載の方法。
【請求項３】
前記ｅＮＢにより、前記ネットワーク側および前記端末がＣＤＭＡ２０００  １ｘネットワークに対するエンハンストＣＳＦＢをサポートすることを示すために使用される指示情報を前記ＭＭＥから受信する前記ステップが、
前記ｅＮＢにより、前記ＭＭＥが、前記端末により報告されるエンハンストＣＳＦＢケイパビリティサポート指示を受信し、前記ＭＭＥがエンハンストＣＳＦＢをサポートした後に、前記ネットワーク側および前記端末側が前記ＣＤＭＡ２０００  １ｘネットワークに対するエンハンストＣＳＦＢをサポートすることを示すために使用される、前記ＭＭＥにより送信されるエンハンストＣＳＦＢ  Ｏｐｅｒａｔｉｏｎ  Ｐｏｓｓｉｂｌｅ指示情報を受信するステップ、あるいは
前記ｅＮＢにより、前記端末がエンハンストＣＳＦＢインジケータ情報を含むＳｅｒｖｉｃｅ  Ｒｅｑｕｅｓｔを前記ＭＭＥに送信し、前記ＭＭＥがエンハンストＣＳＦＢをサポートした後に、前記ネットワーク側および前記端末が、前記ＣＤＭＡ２０００  １ｘネットワークに対するエンハンストＣＳＦＢをサポートすることを示すために使用される、前記ＭＭＥにより送信されるエンハンストＣＳＦＢインジケータ情報を受信するステップ
を含む、請求項２に記載の方法。
【請求項４】
前記ＨＲＰＤネットワークへのハンドオーバを行うことを決定する前に、
前記ｅＮＢにより、前記ＨＲＰＤネットワークおよび前記ＣＤＭＡ２０００  １ｘネットワークの測定情報を含む測定報告を前記端末から得るステップ
をさらに含む、請求項３に記載の方法。
【請求項５】
前記ＣＤＭＡ２０００  １ｘネットワークに対してエンハンストＣＳＦＢを行うことを決定する前記ステップが、
前記ＣＤＭＡ２０００  １ｘネットワークへのハンドオーバを準備し、前記端末のＳＶＤＯをサポートする前記ケイパビリティ、および前記受信されたエンハンストＣＳＦＢ  Ｏｐｅｒａｔｉｏｎ  Ｐｏｓｓｉｂｌｅ指示情報に従ってエンハンストＣＳＦＢを行うことを決定するステップ
を含む、請求項３又は４に記載の方法。
【請求項６】
前記端末により、前記エンハンストＣＳＦＢケイパビリティサポート指示が前記端末の無線ケイパビリティとして報告され、前記方法が、
エンハンストＣＳＦＢを行うことを前記ＭＭＥに示すために第１のＳ１−ＡＰメッセージを前記ＭＭＥに送信する、または、前記ＭＭＥにより第２のＳ１−ＡＰメッセージを受信して、前記受信された第２のＳ１−ＡＰメッセージに従ってエンハンストＣＳＦＢを行うことを前記ＭＭＥにより決定するステップ
をさらに含む、請求項５に記載の方法。
【請求項７】
前記ＨＲＰＤネットワークに対してハンドオーバを行うことを決定する前記ステップが、
前記ＨＲＰＤネットワークへのハンドオーバを準備する工程を行い、ネットワーク条件に従って前記ＨＲＰＤネットワークへの最適化ハンドオーバを行うことを決定するステップ、または
ネットワーク条件に従って、前記ＨＲＰＤネットワークへの非最適化ハンドオーバを行うことを決定するステップ
を含む、請求項１〜６のいずれか１項に記載の方法。
【請求項８】
ネットワーク条件に従って、前記ＨＲＰＤネットワークへの最適化ハンドオーバを行うことを決定する前記ステップが、
事前に構成されたポリシ、ＰＳ最適化ハンドオーバ情報、および測定報告情報のうちの少なくとも１つに従って前記ＨＲＰＤネットワークへの最適化ハンドオーバ行うことを決定するステップを含む、または
ネットワーク条件に従って、前記ＨＲＰＤネットワークへの非最適化ハンドオーバを行うことを決定する前記ステップが、
前記事前に構成されたポリシ、最適化ハンドオーバ失敗、および最適化ハンドオーバを前記ネットワークがサポートしていないことのうちの少なくとも１つに従って、前記ＨＲＰＤネットワークへの非最適化ハンドオーバを行うステップを含む、請求項７に記載の方法。
【請求項９】
前記ｅＮＢにより、前記ＣＤＭＡ２０００  １ｘネットワークへのハンドオーバを準備する工程で得られるＨａｎｄｏｆｆ  Ｄｉｒｅｃｔｉｏｎメッセージ、および前記ＨＲＰＤネットワークへのハンドオーバを準備する工程で得られるＨＯアクセス情報を含むＨＲＰＤメッセージを取得するステップであって、前記Ｈａｎｄｏｆｆ  Ｄｉｒｅｃｔｉｏｎメッセージは、前記ＣＤＭＡ２０００  １ｘネットワークへのハンドオーバのためのアクセス構成情報を含み、ＨＯアクセス情報を含む前記ＨＲＰＤメッセージは、ハンドオーバアクセス情報を含む、前記ステップを更に含み、
前記ｅＮＢにより、前記端末に、前記ＣＤＭＡ２０００  １ｘネットワークに対するエンハンストＣＳＦＢを行わせ、かつ前記ＨＲＰＤネットワークへのハンドオーバを行わせるために使用される、前記第１のメッセージを前記端末に送信する前記ステップが、
前記ｅＮＢにより、前記ＣＤＭＡ２０００  １ｘネットワークへのハンドオーバを準備する前記工程で得られる前記Ｈａｎｄｏｆｆ  Ｄｉｒｅｃｔｉｏｎメッセージ、および前記ＨＲＰＤネットワークへのハンドオーバを準備する前記工程で得られるＨＯアクセス情報を含む前記ＨＲＰＤメッセージを調整するステップと、
前記ｅＮＢにより、前記Ｈａｎｄｏｆｆ  Ｄｉｒｅｃｔｉｏｎメッセージ、およびＨＯアクセス情報を含む前記ＨＲＰＤメッセージを含むＭｏｂｉｌｉｔｙ  Ｆｒｏｍ  ＥＵＴＲＡＮメッセージを構築するステップであって、前記Ｈａｎｄｏｆｆ  Ｄｉｒｅｃｔｉｏｎメッセージは、前記端末に、前記ＣＤＭＡ２０００  １ｘネットワークへの最適化ハンドオーバを開始させるために使用され、ＨＯアクセス情報を含む前記ＨＲＰＤメッセージは、前記端末に、前記ＨＲＰＤネットワークへの最適化ハンドオーバを開始させるために使用されるステップと、
前記ｅＮＢにより、前記Ｍｏｂｉｌｉｔｙ  Ｆｒｏｍ  ＥＵＴＲＡＮメッセージを前記端末に送信するステップと、を含む、
請求項１〜８のいずれか１項に記載の方法。
【請求項１０】
前記ｅＮＢにより、前記ＣＤＭＡ２０００  １ｘネットワークへのハンドオーバを準備する工程で得られるＨａｎｄｏｆｆ  Ｄｉｒｅｃｔｉｏｎメッセージ、および前記ＨＲＰＤネットワークへのハンドオーバを準備する工程で得られるＨＯアクセス情報を含むＨＲＰＤメッセージを取得するステップであって、前記Ｈａｎｄｏｆｆ  Ｄｉｒｅｃｔｉｏｎメッセージは、前記ＣＤＭＡ２０００  １ｘネットワークへのハンドオーバのためのアクセス構成情報を含み、ＨＯアクセス情報を含む前記ＨＲＰＤメッセージは、ハンドオーバアクセス情報を含む、前記ステップを更に含み、
前記ｅＮＢにより、前記端末に、前記ＣＤＭＡ２０００  １ｘネットワークに対するエンハンストＣＳＦＢを行わせ、かつ前記ＨＲＰＤネットワークへのハンドオーバを行わせるために使用される、前記第１のメッセージを前記端末に送信する前記ステップが、
前記ｅＮＢにより、前記ハンドオフＤｉｒｅｃｔｉｏｎメッセージを含むＭｏｂｉｌｉｔｙ  Ｆｒｏｍ  ＥＵＴＲＡＮメッセージ、およびＨＯアクセス情報を含む前期ＨＲＰＤメッセージを含むＭｏｂｉｌｉｔｙ  Ｆｒｏｍ  ＥＵＴＲＡＮメッセージを前記端末に送信するステップであって、前記ハンドオフＤｉｒｅｃｔｉｏｎメッセージを含む前記Ｍｏｂｉｌｉｔｙ  Ｆｒｏｍ  ＥＵＴＲＡＮメッセージは、前記端末に、前記ＣＤＭＡ２０００  １ｘネットワークへのハンドオーバを行わせるために使用され、ＨＯアクセス情報を含む前記ＨＲＰＤメッセージを含む前記Ｍｏｂｉｌｉｔｙ  Ｆｒｏｍ  ＥＵＴＲＡＮメッセージは、前記端末に、前記ＨＲＰＤネットワークへのハンドオーバを行わせるために使用されるステップを含む、
請求項１〜８のいずれか１項に記載の方法。
【請求項１１】
前記ｅＮＢにより、前記ＣＤＭＡ２０００  １ｘネットワークへのハンドオーバを準備する工程で得られるＨａｎｄｏｆｆ  Ｄｉｒｅｃｔｉｏｎメッセージを取得するステップであって、前記Ｈａｎｄｏｆｆ  Ｄｉｒｅｃｔｉｏｎメッセージは、前記ＣＤＭＡ２０００  １ｘネットワークへのハンドオーバのためのアクセス構成情報を含む、前記ステップと、
前記ｅＮＢにより、ＨＲＰＤ非最適化Ｒｅｄｉｒｅｃｔｉｏｎメッセージを構築するステップであって、前記ＨＲＰＤ非最適化Ｒｅｄｉｒｅｃｔｉｏｎメッセージは、ＨＲＰＤ  Ｃａｒｒｉｅｒ情報、ＨＲＰＤセル情報、およびＨＲＰＤページングチャネル情報のうちの少なくとも１つを含む、前記ステップと、
を更に含み、
前記ｅＮＢにより、前記端末に、前記ＣＤＭＡ２０００  １ｘネットワークに対するエンハンストＣＳＦＢを行わせ、かつ前記ＨＲＰＤネットワークへのハンドオーバを行わせるために使用される、前記第１のメッセージを前記端末に送信する前記ステップが、
前記ｅＮＢにより、前記ＣＤＭＡ２０００  １ｘネットワークへのハンドオーバを準備する前記工程で得られる前記Ｈａｎｄｏｆｆ  Ｄｉｒｅｃｔｉｏｎメッセージ、および前記構築された前記ＨＲＰＤ非最適化Ｒｅｄｉｒｅｃｔｉｏｎメッセージを調整するステップと、
前記Ｈａｎｄｏｆｆ  Ｄｉｒｅｃｔｉｏｎメッセージおよび前記ＨＲＰＤ非最適化Ｒｅｄｉｒｅｃｔｉｏｎメッセージを含むＭｏｂｉｌｉｔｙ  Ｆｒｏｍ  ＥＵＴＲＡＮメッセージを構築するステップであって、前記Ｈａｎｄｏｆｆ  Ｄｉｒｅｃｔｉｏｎメッセージは、前記端末に、前記ＣＤＭＡ２０００  １ｘネットワークへのハンドオーバを行わせるために使用され、前記ＨＲＰＤ非最適化Ｒｅｄｉｒｅｃｔｉｏｎメッセージは、前記端末に、前記ＨＲＰＤネットワークへの非最適化ハンドオーバを行わせるために使用されるステップと、
前記ｅＮＢにより、前記Ｍｏｂｉｌｉｔｙ  Ｆｒｏｍ  ＥＵＴＲＡＮメッセージを前記端末に送信するステップと、を含む、
請求項１〜８のいずれか１項に記載の方法。
【請求項１２】
前記ｅＮＢにより、前記端末に、前記ＣＤＭＡ２０００  １ｘネットワークに対するエンハンストＣＳＦＢを行わせ、かつ前記ＨＲＰＤネットワークへのハンドオーバを行わせるために使用される、前記第１のメッセージを前記端末に送信する前記ステップが、
前記ｅＮＢにより、ＲＲＣ  Ｃｏｎｎｅｃｔｉｏｎ  ＲｅｌｅａｓｅメッセージおよびＭｏｂｉｌｉｔｙ  Ｆｒｏｍ  ＥＵＴＲＡＮメッセージを前記端末に送信するステップであって、前記ＲＲＣ  Ｃｏｎｎｅｃｔｉｏｎ  Ｒｅｌｅａｓｅメッセージは、前記端末に、前記ＣＤＭＡ２０００  １ｘネットワークへのハンドオーバを行わせるために使用され、前記Ｍｏｂｉｌｉｔｙ  Ｆｒｏｍ  ＥＵＴＲＡＮメッセージは、前記端末に、前記ＨＲＰＤネットワークへの非最適化ハンドオーバを行わせるために使用されるステップを含む、
請求項１〜８のいずれか１項に記載の方法。
【請求項１３】
ハンドオーバのための装置であって、受信モジュール、決定モジュール、および送信モジュールを含み、
前記受信モジュールは、ネットワーク側および端末がＣＤＭＡ２０００（符号分割多重接続２０００）  １ｘネットワークに対するＣＳＦＢ（エンハンスト回路交換フォールバック）をサポートすることを示すために使用される指示情報をＭＭＥ（移動管理エンティティ）から受信するように構成され、
前記決定モジュールは、前記ＣＤＭＡ２０００  １ｘネットワークに対するエンハンストＣＳＦＢを行うことを決定し、かつＨＲＰＤ（高速パケットデータ）ネットワークへのハンドオーバを行うことを決定するように構成され、
前記送信モジュールは、前記決定モジュールが、前記ＣＤＭＡ２０００  １ｘネットワークに対するエンハンストＣＳＦＢを行うことを決定し、かつ前記ＨＲＰＤネットワークへのハンドオーバを行うことを決定したとき、前記端末に、前記ＣＤＭＡ２０００  １ｘネットワークに対するエンハンストＣＳＦＢを行わせ、かつ前記ＨＲＰＤネットワークへのハンドオーバを行わせるために使用される、第１のメッセージを前記端末に送信するように構成される装置。
【請求項１４】
前記受信モジュールが、前記ＨＲＰＤネットワークおよびＣＤＭＡ２０００  １ｘネットワークの測定情報を含む測定報告を前記端末から受信し、かつ前記測定報告情報を前記決定モジュールに送信するように構成される、請求項１３に記載の装置。
【請求項１５】
前記決定モジュールが第１の決定ユニットおよび第２の決定ユニットを含み、
前記第１の決定ユニットは、ネットワーク条件に従って、前記ＨＲＰＤネットワークへの最適化ハンドオーバを行うことを決定するように構成され、
前記第２の決定ユニットは、ネットワーク条件に従って、前記ＨＲＰＤネットワークへの非最適化ハンドオーバを行うことを決定するように構成される、請求項１４に記載の装置。
【請求項１６】
前記装置が調整モジュールおよび構築モジュールをさらに含み、
前記受信モジュールが、前記ＣＤＭＡ２０００  １ｘネットワークへのハンドオーバを準備する前記工程でＨａｎｄｏｆｆ  Ｄｉｒｅｃｔｉｏｎメッセージおよび前記ＨＲＰＤネットワークへのハンドオーバを準備する工程で得られるＨＯアクセス情報を含むＨＲＰＤメッセージを受信するようにさらに構成され、
前記調整モジュールは、前記第１の決定ユニットが前記ＨＲＰＤネットワークへの最適化ハンドオーバを行うことを決定したとき、前記ＣＤＭＡ２０００  １ｘネットワークへのハンドオーバを準備する前記工程で前記受信モジュールにより受信されるＨａｎｄｏｆｆ  Ｄｉｒｅｃｔｉｏｎメッセージ、および前記ＨＲＰＤネットワークへのハンドオーバを準備する前記工程で前記受信モジュールにより受信されるＨＯアクセス情報を含む前記ＨＲＰＤメッセージを調整するように構成され、
前記構築モジュールは、前記Ｈａｎｄｏｆｆ  Ｄｉｒｅｃｔｉｏｎメッセージ、およびＨＯアクセス情報を含む前記ＨＲＰＤメッセージを含むＭｏｂｉｌｉｔｙ  Ｆｒｏｍ  ＥＵＴＲＡＮメッセージを構築するように構成され、
前記送信モジュールが、前記Ｍｏｂｉｌｉｔｙ  Ｆｏｒｍ  ＥＵＴＲＡＮメッセージを前記端末に送信するように構成される、
請求項１５に記載の装置。
【請求項１７】
前記装置が調整モジュールおよび構築モジュールをさらに含み、
前記受信モジュールが、前記ＣＤＭＡ２０００  １ｘネットワークへのハンドオーバを準備する前記工程でＨａｎｄｏｆｆ  Ｄｉｒｅｃｔｉｏｎメッセージを受信するようにさらに構成され、
前記構築モジュールは、ＨＲＰＤ  Ｃａｒｒｉｅｒ情報、ＨＲＰＤセル情報、およびＨＲＰＤページングチャネル情報のうちの少なくとも１つを含むＨＲＰＤ非最適化Ｒｅｄｉｒｅｃｔｉｏｎメッセージを構築するように構成され、
前記調整モジュールは、前記第２の決定ユニットが前記ＨＲＰＤネットワークへの非最適化ハンドオーバを行うことを決定したとき、前記受信モジュールにより受信される前記Ｈａｎｄｏｆｆ  Ｄｉｒｅｃｔｉｏｎメッセージ、および前記構築モジュールにより構築された前記ＨＲＰＤ非最適化Ｒｅｄｉｒｅｃｔｉｏｎメッセージを調整するように構成され、
前記構築モジュールは、前記Ｈａｎｄｏｆｆ  Ｄｉｒｅｃｔｉｏｎメッセージおよび前記ＨＲＰＤ非最適化Ｒｅｄｉｒｅｃｔｉｏｎメッセージを含むＭｏｂｉｌｉｔｙ  Ｆｒｏｍ  ＥＵＴＲＡＮメッセージを構築するようにさらに構成され、
前記送信モジュールが、前記Ｍｏｂｉｌｉｔｙ  Ｆｒｏｍ  ＥＵＴＲＡＮメッセージを前記端末に送信するように構成される、請求項１５に記載の装置。
【請求項１８】
前記受信モジュールが、前記ＣＤＭＡ２０００  １ｘネットワークへのハンドオーバを準備する前記工程でＨａｎｄｏｆｆ  Ｄｉｒｅｃｔｉｏｎメッセージおよび前記ＨＲＰＤネットワークへのハンドオーバを準備する前記工程で得られるＨＯアクセス情報を含むＨＲＰＤメッセージを受信するようにさらに構成され、
前記送信モジュールが、前記第１の決定ユニットが前記ＨＲＰＤネットワークへの最適化ハンドオーバを行うことを決定したとき、前記受信モジュールにより受信されるハンドオフＤｉｒｅｃｔｉｏｎメッセージを含むＭｏｂｉｌｉｔｙ  Ｆｒｏｍ  ＥＵＴＲＡＮメッセージ、および前記受信モジュールにより受信されるＨＯアクセス情報を含むＨＲＰＤメッセージを含むＭｏｂｉｌｉｔｙ  Ｆｒｏｍ  ＥＵＴＲＡＮメッセージを前記端末に送信するようにさらに構成され、前記ハンドオフＤｉｒｅｃｔｉｏｎメッセージを含む前記Ｍｏｂｉｌｉｔｙ  Ｆｒｏｍ  ＥＵＴＲＡＮメッセージは、前記端末に、前記ＣＤＭＡ２０００  １ｘネットワークへのハンドオーバを行わせるために使用され、ＨＯアクセス情報を含む前記ＨＲＰＤメッセージを含む前記Ｍｏｂｉｌｉｔｙ  Ｆｒｏｍ  ＥＵＴＲＡＮメッセージは、前記端末に、前記ＨＲＰＤネットワークへのハンドオーバを行わせるために使用される、請求項１５に記載の装置。
【請求項１９】
前記送信モジュールが、前記第２の決定ユニットが前記ＨＲＰＤネットワークへの非最適化ハンドオーバを行うことを決定したとき、ＲＲＣ  Ｃｏｎｎｅｃｔｉｏｎ  ＲｅｌｅａｓｅメッセージおよびＭｏｂｉｌｉｔｙ  Ｆｒｏｍ  ＥＵＴＲＡＮメッセージを前記端末に送信するようにさらに構成され、前記ＲＲＣ  Ｃｏｎｎｅｃｔｉｏｎ  Ｒｅｌｅａｓｅメッセージは、前記端末に、前記ＣＤＭＡ２０００  １ｘネットワークへのハンドオーバを行わせるために使用され、前記Ｍｏｂｉｌｉｔｙ  Ｆｒｏｍ  ＥＵＴＲＡＮメッセージは、前記端末に、前記ＨＲＰＤネットワークへの非最適化ハンドオーバを行わせるために使用される、請求項１５に記載の装置。
【発明の詳細な説明】
【技術分野】
【０００１】
本出願は、全体が参照により本明細書に組み込まれる、「ＭＥＴＨＯＤ  ＡＮＤ  ＡＰＰＡＲＡＴＵＳ  ＦＯＲ  ＨＡＮＤＯＶＥＲ」と題する、２００９年７月１５日に中国特許庁に提出された中国特許出願第２００９１０１０８７８３．４号明細書の優先権を主張する。
【０００２】
本発明は、通信分野に関し、詳細にはハンドオーバのための方法および装置に関する。
【背景技術】
【０００３】
現在、ロング・ターム・エボリューション（Ｌｏｎｇ  Ｔｅｒｍ  Ｅｖｏｌｖｕｔｉｏｎ、略してＬＴＥ）ネットワーク／システム・アーキテクチャ・エボリューション（Ｓｙｓｔｅｍ  Ａｒｃｈｉｔｅｃｔｕｒｅ  Ｅｖｏｌｖｕｔｉｏｎ、ＳＡＥ）ネットワークが重要な研究題目となっている。ＬＴＥは遅延を低減し、ユーザデータ転送速度を増大させ、システム容量を改善し、低コストでコンバージェンスを行うことができるネットワークを提供することを目的とする。ＬＴＥはインターネットプロトコル（略してＩＰ）上でパケット交換（ｐａｃｋｅｔ  ｓｗｉｔｃｈｅｄ、ＰＳ）サービスを提供する。
【０００４】
ＬＴＥシステムでは、音声サービスデータが一般にＩＭＳ（ＩＰ  Ｍｕｌｔｉｍｅｄｉａ  Ｓｕｂｓｙｓｔｅｍ、ＩＰマルチメディアサブシステム）により制御されることが、従来技術から公知とすることができる。したがって、ＳＡＥ／ＬＴＥでは、音声サービスが一般にＶｏＩＰ（Ｖｏｉｃｅ  Ｏｖｅｒ  ＩＰ、音声がＩＰ上で送られる）サービスと呼ばれる。しかしながら、従来の音声サービスは、一般にＣＳ  ＴＤＭ（Ｃｉｒｃｕｉｔ  Ｓｗｉｔｃｈｅｄ、回線交換ドメイン、Ｔｉｍｅ  Ｄｉｖｉｓｉｏｎ  Ｍｕｌｔｉｐｌｅｘｉｎｇ、時分割多重）上で運ばれる。初期フェーズでのＬＴＥシステムの展開はホットスポットのカバレッジ、およびネットワークたとえばＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ、移動通信のための第２世代グローバルシステム）／ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、移動通信のための第３世代グローバルシステム）であり、回線交換ドメインの音声サービスを提供するＣＤＭＡ２０００  １ｘ（略して１ｘネットワーク）がある程度まで完全なカバレッジとみなされ得る。ＬＴＥの初期展開フェーズでは、ＩＭＳ（ＩＰ  Ｍｕｌｔｉｍｅｄｉａ  Ｓｕｂｓｙｓｔｅｍ、ＩＰマルチメディアサブシステム）は展開されない可能性があり、高速データサービスが主に提供される。
【０００５】
現在、多くの１ｘネットワーク運営者が、このネットワークからＬＴＥシステムへ徐々に移行することを望み、ＬＴＥネットワークが、サービスを行うときに、端末にＣＳサービスを転送することができるように１ｘネットワークを再利用することができることを望んでいる。そのようなＣＳフォールバック（ＣＳＦＢ）ケイパビリティを備える端末が、１ｘアクセスを用いてＣＳドメインで音声呼を確立するためにＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、進化型ユニバーサル地上無線アクセスネットワーク）に接続するとき、１ｘ  ＣＳドメインで事前登録し得る。
【発明の概要】
【発明が解決しようとする課題】
【０００６】
ＵＥ（Ｕｓｅｒ  Ｅｑｕｉｐｍｅｎｔ、ユーザ装置）のベアラに対して、１ｘＲＴＴ  ＣＳＦＢが行われるとき、またはＳＲＶＣＣ（Ｓｉｎｇｌｅ  Ｒａｄｉｏ  Ｖｏｉｃｅ  Ｃａｌｌ  Ｃｏｎｔｉｎｕｉｔｙ、シングル無線音声呼継続）が行われるとき、ＳＡＥ／ＬＴＥネットワークはＧＢＲ（Ｇｕａｒａｎｔｅｅｄ  Ｂｉｔ  Ｒａｔｅ、保証ビットレート）ベアラを解放し、非ＧＢＲ（非保証ビットレート）ベアラを中断する。その結果ＵＥはＰＳデータサービスを使用し続けることができない、またはＵＥはＰＳサービスを使用し続けることができるが、ハンドオーバに比較的長い時間がかかり、そのことがユーザ体験を悪化させる。
【課題を解決するための手段】
【０００７】
本発明の実施形態はハンドオーバのための方法、装置、およびシステムを提供し、その結果、１ｘＲＴＴ  ＣＳＦＢが行われるとき、またはＳＲＶＣＣが行われるとき、ＵＥがより短いハンドオーバ時間でＰＳデータサービスを使用し続けることができる。
【０００８】
本発明の一実施形態がハンドオーバのための方法を提供し、ネットワーク側および端末が１ｘネットワークに対するエンハンスト（ｅｎｈａｎｃｅｄ）ＣＳＦＢ（Ｃｉｒｃｕｉｔ  Ｓｗｉｔｃｈｅｄ  Ｆａｌｌｂａｃｋ、回線交換フォールバック）をサポートするかどうかを示すために使用される指示情報をＭＭＥ（Ｍｏｂｉｌｉｔｙ  Ｍａｎａｇｅｍｅｎｔ  Ｅｎｔｉｔｙ、移動管理エンティティ）から受信するステップと、ネットワーク側および端末が１ｘネットワークに対するエンハンストＣＳＦＢをサポートする場合、１ｘネットワークに対してエンハンストＣＳＦＢを行うことを決定し、かつＨＲＰＤネット−ワークへのハンドオーバを行うことを決定するステップと、端末に、１ｘネットワークへのエンハンストＣＳＦＢを行わせ、かつＨＲＰＤネットワークへのハンドオーバを行わせるために使用される第１のメッセージを端末に送信するステップと、ネットワーク側および／または端末が１ｘネットワークに対するエンハンストＣＳＦＢをサポートしない場合、通常のＣＳＦＢを開始するまたは手順を終了するステップとを含む。
【０００９】
本発明の一実施形態が、ハンドオーバのための別の方法を提供し、端末のＳＶＤＯ（音声及びデータのみの同時通信）ケイパビリティ情報およびＳＲＶＣＣケイパビリティ情報を得るステップと、ネットワーク条件に従って１ｘネットワークに対してＳＲＶＣＣ手順を、およびＨＲＰＤネットワークへのハンドオーバを行うことを決定するステップと、端末に、１ｘネットワークへのハンドオーバを行わせ、かつＨＲＰＤネットワークへのハンドオーバを行わせるために使用される、第２のメッセージを端末に送信するステップとを含む。
【００１０】
本発明の一実施形態が、受信モジュール、決定モジュール、および送信モジュールを含む、ハンドオーバのための装置を提供し、
受信モジュールは、ネットワーク側および端末が１ｘネットワークに対するエンハンストＣＳＦＢをサポートするかどうかを示すために使用される指示情報をＭＭＥから受信するように構成され、
決定モジュールは、ネットワーク側および端末が１ｘネットワークに対するエンハンストＣＳＦＢをサポートするとき、１ｘネットワークに対するエンハンストＣＳＦＢを行うことを決定し、かつＨＲＰＤネットワークへのハンドオーバを行うことを決定するように構成され、
送信モジュールは、決定モジュールが１ｘネットワークに対してエンハンストＣＳＦＢを行うことを決定し、かつＨＲＰＤネットワークに対するハンドオーバを行うことを決定するとき、端末に、１ｘネットワークへのエンハンストＣＳＦＢを行わせ、かつＨＲＰＤネットワークへのハンドオーバを行わせるために使用される、第１のメッセージを端末に送信するように構成され、
決定モジュールは、ネットワーク側および／または端末が１ｘネットワークに対するエンハンストＣＳＦＢをサポートしないとき、通常のＣＳＦＢを開始する、または手順を終了するようにさらに構成される。
【００１１】
本発明の一実施形態が、取得モジュール、決定モジュール、および送信モジュールを含む、ハンドオーバのための別の装置を提供し、
取得モジュールは、端末のＳＶＤＯケイパビリティ情報およびＳＲＶＣＣケイパビリティ情報を得るように構成され、
決定モジュールは、ネットワーク条件に従って、１ｘネットワークに対するＳＲＶＣＣ手順、およびＨＲＰＤネットワークへのハンドオーバを行うことを決定するように構成され、
送信モジュールは、端末に、１ｘネットワークへのハンドオーバを行わせ、かつＨＲＰＤネットワークへのハンドオーバを行わせるために使用される、第２のメッセージを端末に送信するように構成される。
【００１２】
本発明の実施形態によれば、１ｘＲＴＴ  ＣＳＦＢが行われるとき、またはＳＲＶＣＣが行われるとき、ＵＥはより短いハンドオーバ時間でＰＳデータサービスを使用し続けることができ、その結果、顧客が、よい顧客体験をする。
【図面の簡単な説明】
【００１３】
【図１】本発明の一実施形態による、ハンドオーバのための方法のフローチャートである。
【図２】本発明の第２の実施形態による、ハンドオーバのための方法の信号方式図である。
【図３】本発明の第３の実施形態による、ハンドオーバのための別の方法の信号方式図である。
【図４】本発明の第４の実施形態による、ハンドオーバのための別の方法の信号方式図である。
【図５】本発明の第５の実施形態による、ハンドオーバのための別の方法の信号方式図である。
【図６】本発明の第６の実施形態による、ハンドオーバのための装置の概略的な構造図である。
【図７】本発明の第７に実施形態による、ハンドオーバのための別の装置の概略的な構造図である。
【発明を実施するための形態】
【００１４】
本発明の実施形態の具体的な実現が、本明細書の添付図面を参照して以下に詳細に説明される。
【００１５】
本発明の実施形態は、主にＣＳＦＢ（ＣＳ  Ｆａｌｌｂａｃｋ、ＣＳドメイン音声フォールバック）端末発信（ｍｏｂｉｌｅ  ｏｒｉｇｉｎａｔｅｄ）手順に基づく。ＣＳＦＢ端末発信手順の処理はここでは説明されないが類似していることを当業者は理解すべきであることに留意されたい。
【００１６】
本発明の実施形態により提供される技術的解決策によれば、近似するまたは類似する技術的解決策がＬＴＥから２Ｇ／３ＧへのＣＳＦＢ手順に適用される、またはＳＲＶＣＣ（Ｓｉｎｇｌｅ  Ｒａｄｉｏ  Ｖｏｉｃｅ  Ｃａｌｌ  Ｃｏｎｔｉｎｕｉｔｙ、シングル無線音声呼継続）手順に適用され得ることを当業者は理解されたい。上記の技術的解決策は、本発明の保護範囲に入るものとする。
【００１７】
以下の実施形態では、１ｘＲＴＴネットワークへのハンドオーバを準備する工程では、ターゲットの１ｘＲＴＴ基地局が十分な資源を割り当てることができない場合、１ｘＲＴＴハンドオーバ準備は失敗する。ＨＲＰＤネットワーク（Ｈｉｇｈ  Ｒａｔｅ  Ｐａｃｋｅｔ  Ｄａｔａ  Ｎｅｔｗｏｒｋ、高速パケット・データ・ネットワーク）へのハンドオーバを準備する工程では、ターゲットのＨＲＰＤ基地局が十分な資源を割り当てることができない場合、ＨＲＰＤハンドオーバ準備は失敗する。前述の例外的な場合に対して、ＥＵＴＲＡＮは調整を行うことができ、ＤＬ情報ＴｒａｎｓｆｅｒメッセージまたはＭｏｂｉｌｉｔｙ  Ｆｒｏｍ  ＥＵＴＲＡＮ（ＥＵＴＲＡＮからのハンドオーバのためのコマンド）メッセージを拡張することにより以下の情報を端末に伝えることができる。
【００１８】
１．１ｘＲＴＴハンドオーバ準備が失敗するが、ＨＲＰＤハンドオーバ準備が成功する場合、メッセージは、１ｘＲＴＴ失敗情報、およびＨＲＰＤハンドオーバ情報たとえばセル構成情報を伝えるように拡張される。
【００１９】
２．１ｘＲＴＴハンドオーバ準備は成功するが、ＨＲＰＤハンドオーバ準備が失敗する場合、メッセージは、１ｘＲＴＴハンドオーバ情報たとえばセル構成情報、およびＨＲＰＤ失敗情報を伝えるように拡張される。
【００２０】
３．１ｘＲＴＴハンドオーバ準備もＨＲＰＤハンドオーバ準備も失敗する場合、メッセージは、１ｘＲＴＴ失敗情報およびＨＲＰＤ失敗情報を伝えるように拡張される。
【００２１】
ＥＵＴＲＡＮが、ハンドオーバ準備メッセージの調整を行わない場合、ハンドオーバ失敗情報は、ＤＬ情報Ｔｒａｎｓｆｅｒメッセージにより端末に送信される。さらに、３つのシナリオがこのモードでは存在する。
【００２２】
１．１ｘＲＴＴハンドオーバ準備が失敗するが、ＨＲＰＤハンドオーバ準備が成功する場合、１ｘＲＴＴハンドオーバ準備失敗情報が、ＤＬ情報Ｔｒａｎｓｆｅｒメッセージにより端末に送信されるが、ＨＲＰＤハンドオーバ準備成功メッセージが、Ｍｏｂｉｌｉｔｙ  Ｆｒｏｍ  ＥＵＴＲＡＮメッセージにより端末に送信される。
【００２３】
２．１ｘＲＴＴハンドオーバ準備が成功するが、ＨＲＰＤハンドオーバ準備が失敗する場合、１ｘＲＴＴハンドオーバ準備成功メッセージが、Ｍｏｂｉｌｉｔｙ  Ｆｒｏｍ  ＥＵＴＲＡＮメッセージにより端末に送信されるが、ＨＲＰＤハンドオーバ準備失敗情報が、ＤＬ情報Ｔｒａｎｓｆｅｒメッセージにより端末に送信される。
【００２４】
３．１ｘＲＴＴハンドオーバ準備もＨＲＰＤハンドオーバ準備も失敗する場合、１ｘＲＴＴハンドオーバ準備失敗情報およびＨＲＰＤハンドオーバ準備失敗情報が、それぞれ異なるＤＬ情報Ｔｒａｎｓｆｅｒメッセージにより端末に送信される。
【００２５】
以下の実施形態では、ＥＵＴＲＡＮは端末がエンハンストＣＳＦＢケイパビリティをサポートすることを通知されかつＥＵＴＲＡＮ自体はエンハンストＣＳＦＢをサポートするように構成されるが、実際には、ＭＭＥ（Ｍｏｂｉｌｉｔｙ  Ｍａｎａｇｅｍｅｎｔ  Ｅｎｔｉｔｙ、移動管理エンティティ）がエンハンストＣＳＦＢをサポートしない場合、ＭＭＥはＥＵＴＲＡＮに返されるメッセージに、たとえばＣＤＭＡ２０００  ＨＯ  Ｓｔａｔｕｓに、エンハンストＣＳＦＢがサポートされないことをＥＵＴＲＡＮに通知する指示情報を伝える必要がある。情報を受信した後、ＥＵＴＲＡＮは、通常のＣＳＦＢを開始するべきか、またはＣＳＦＢ手順を直接拒絶するべきかどうかを制御し得る。
【００２６】
本発明の第１の実施形態の具体的手順が図１を参照して以下に説明される。
【００２７】
ステップ１０１：ネットワーク側および端末が１ｘネットワークに対するエンハンストＣＳＦＢをサポートするかどうかを示すために使用される指示情報をＭＭＥから受信する。
【００２８】
ステップ１０２：ネットワーク側および端末が１ｘネットワークに対するエンハンストＣＳＦＢをサポートする場合、１ｘネットワークに対するエンハンストＣＳＦＢを行うことを決定し、ＨＲＰＤネットワークへのハンドオーバを行うことを決定する。
【００２９】
ステップ１０３：端末に、１ｘネットワークに対するエンハンストＣＳＦＢを行わせ、かつＨＲＰＤネットワークへのハンドオーバを行わせるために使用される、第１のメッセージを端末に送信する。
【００３０】
ステップ１０４：ネットワーク側および／または端末が１ｘネットワークに対するエンハンストＣＳＦＢをサポートしない場合、通常のＣＳＦＢを開始する、または手順を終了する。
【００３１】
実施形態によれば、１ｘＲＴＴ  ＣＳＦＢが行われるとき、ＵＥはより短いハンドオーバ時間でＰＳデータサービスを使用し続けることができ、その結果、顧客が、よい顧客体験を得ることが出来る。
【００３２】
加えて、別の実施形態がさらに提供される。
【００３３】
ステップ１０１ａ：端末のＳＶＤＯケイパビリティ情報およびＳＲＶＣＣケイパビリティ情報を得る。
【００３４】
ステップ１０２ａ：ネットワーク条件に従って、１ｘネットワークに対するＳＲＶＣＣ手順、およびＨＲＰＤネットワークへのハンドオーバを行うことを決定する。
【００３５】
ステップ１０３ａ：端末に、１ｘネットワークへのハンドオーバを行わせ、かつＨＲＰＤネットワークへのハンドオーバを行わせるために使用される、第２のメッセージを端末に送信する。
【００３６】
実施形態によれば、ＳＲＶＣＣが行われるとき、ＵＥは、より短いハンドオーバ時間でＰＳデータサービスを使用し続けることができ、その結果、顧客が、よい顧客体験を得ることが出来る。
【００３７】
本発明の第２の実施形態が、図２を参照して以下に説明される。実施形態は、エンハンストＣＳＦＢおよびＰＳ最適化ハンドオーバのための、ネットワーク制御され調整された制御方法を説明する。
【００３８】
ステップ２０１：ＵＥがＥ−ＵＴＲＡＮにアタッチし、Ｓ１０２トンネルを介して１ｘＲＴＴ  ＣＳに事前登録し、さらにＨＲＰＤネットワークに事前登録する。Ｅ−ＵＴＲＡＮにアタッチする工程の間、ＵＥは、ＳＶＤＯ（ここで、音声及びデータのみの同時通信とは、１ｘおよびＨＲＰＤの同時動作であり、ＵＥが１ｘＲＴＴデータおよびｅＨＲＰＤデータを同時に受信および送信することができることを示す）をサポートする自分のケイパビリティをネットワーク側に報告する。ＵＥのＳＶＤＯケイパビリティは、ＵＥのネットワークケイパビリティとして報告されてもよい、またはＵＥの無線ケイパビリティとして報告されてもよい。
【００３９】
加えて、端末はエンハンストＣＳＦＢケイパビリティサポート指示をネットワーク側に報告し、端末がエンハンストＣＳＦＢをサポートすることを示す。指示を受信した後、ＭＭＥもエンハンストＣＳＦＢをサポートすることをＭＭＥが決定した場合、ＭＭＥはエンハンストＣＳＦＢ  Ｏｐｅｒａｔｉｏｎ  Ｐｏｓｓｉｂｌｅ（エンハンスト音声フォールバック動作可能）指示情報をＥＵＴＲＡＮにＳ１メッセージ、たとえば初期Ｃｏｎｔｅｘｔ設定要求により送信する。指示に従って、ＥＵＴＲＡＮはネットワーク側も端末もエンハンストＣＳＦＢをサポートすると判断することができる。端末のエンハンストＣＳＦＢケイパビリティサポート指示は、端末のネットワークケイパビリティとして報告されてもよい、または端末の無線ケイパビリティとして報告されてもよい。
【００４０】
ステップ２０２：ＵＥは、通常のＣＳＦＢ端末発信手順である１ｘ端末発信手順を開始することを決定する。
【００４１】
ステップ２０３：端末は、Ｓｅｒｖｉｃｅ  Ｒｅｑｕｅｓｔ（サービス要求）手順を起動し、手順でＣＳＦＢインジケータをＭＭＥに伝え、その結果、ＭＭＥはＣＳＦＢインジケータを含む情報をＥＵＴＲＡＮに送信する。
【００４２】
一実施形態では、端末がステップ２０１でエンハンストＣＳＦＢケイパビリティサポート指示をネットワークに報告しない場合、端末により送信されるＳｅｒｖｉｃｅ  Ｒｅｑｕｅｓｔ（サービス要求）メッセージはエンハンストＣＳＦＢインジケータ情報をＭＭＥに伝える。ＭＭＥが、受信したエンハンストＣＳＦＢインジケータ情報に従って、ＭＭＥ自体もエンハンストＣＳＦＢ（エンハンスト音声フォールバック）をサポートすることを決定した場合、ＭＭＥは、エンハンストＣＳＦＢインジケータ情報をＥＵＴＲＡＮに転送または送信し、ＥＵＴＲＡＮで、インジケータ情報は、ネットワーク側および端末が１ｘネットワークに対するエンハンストＣＳＦＢをサポートすることを示すために使用される。このステップは、既存のＣＳＦＢインジケータ情報要素を拡張することにより実現されてもよく、その結果、情報要素は、通常のＣＳＦＢインジケータおよびエンハンストＣＳＦＢインジケータをサポートすることができる。
【００４３】
ステップ２０４：任意選択で、ＥＵＴＲＡＮは、ＨＲＰＤおよび１ｘＲＴＴの測定情報を含む測定報告を端末から得る。
【００４４】
ステップ２０５ａ〜２０７ａ：ＥＵＴＲＡＮは端末に１ｘＲＴＴへのハンドオーバを準備する工程を行わせる。ＥＵＴＲＡＮは、ＥＵＴＲＡ準備要求メッセージからのハンドオーバを端末に送信し、この場合、ハンドオーバ準備要求メッセージはターゲットネットワークに関する情報を含み、端末はＵＬ  Ｈａｎｄｏｖｅｒ  Ｐｒｅｐａｒａｔｉｏｎ  ＴｒａｎｓｆｅｒメッセージをＥＵＴＲＡＮに送信する。
【００４５】
この工程で、端末がエンハンストＣＳＦＢケイパビリティサポート指示を無線ケイパビリティとして報告する場合、ＥＵＴＲＡＮによりＭＭＥに送信されるＳ１−ＡＰメッセージは、ＭＭＥがエンハンストＣＳＦＢを行う必要があることを示す必要がある。機能はまた、既存のＳ１−ＡＰメッセージ中のパラメータに従ってＭＭＥにより判断されてもよく、ＭＭＥはエンハンストＣＳＦＢが行われる必要があることを決定し、たとえば、Ｓ１−ＡＰメッセージが、ＳＲＶＣＣ情報パラメータ、またはＲＡＮＤパラメータ、またはＣＤＭＡ２０００  ＨＯインジケータパラメータを含む場合、ＭＭＥはＣＳＦＢを現在行うことを決定し、したがって、ＭＭＥは、エンハンストＣＳＦＢを行うことが必要であることを決定する。端末によりＭＭＥに報告されるエンハンストＣＳＦＢケイパビリティサポート指示が端末の無線ケイパビリティとして報告されたとき、ＭＭＥおよびＥＵＴＲＡＮの構成が調和せず、かつエンハンストＣＳＦＢが行われることができない場合、ＭＭＥはＥＵＴＲＡＮに通常のＣＳＦＢを行うことを通知する。
【００４６】
ステップ２０５ｂ〜２０７ｂ：ＥＵＴＲＡＮが端末にＨＲＰＤへのハンドオーバの準備をする工程を行わせる。ＥＵＴＲＡＮは、ＥＵＴＲＡ準備要求メッセージからのハンドオーバを端末に送信し、この場合、ハンドオーバ準備要求メッセージはターゲットネットワークに関する情報を含み、端末はＵＬ  Ｈａｎｄｏｖｅｒ  Ｐｒｅｐａｒａｔｉｏｎ  ＴｒａｎｓｆｅｒメッセージをＥＵＴＲＡＮに送信する。
【００４７】
ステップ２０８：ＵＥによりサポートされるＳＶＤＯケイパビリティ、および受信されたエンハンストＣＳＦＢ  Ｏｐｅｒａｔｉｏｎ  Ｐｏｓｓｉｂｌｅ情報に従って、ＥＵＴＲＡＮは、エンハンストＣＳＦＢを行うことが必要であることを決定する。任意選択で、ＥＵＴＲＡＮは、事前に構成されたポリシに従ってＰＳ最適化ハンドオーバを行ってもよい。ネットワークがＰＳ最適化ハンドオーバを行うことができない、または最適化ハンドオーバが失敗する場合、ＰＳ非最適化ハンドオーバが行われる。ＰＳドメインへの非最適化ハンドオーバの特有のステップについては、第３の実施形態での対応するステップが参照されることができる。任意選択で、ＰＳ最適化ハンドオーバはまた、ＰＳ最適化ハンドオーバ情報および／または測定報告情報に従って決定されてもよい。ＥＵＴＲＡＮは、１ｘＲＴＴネットワークへのハンドオーバを準備する工程でＨａｎｄｏｆｆ  Ｄｉｒｅｃｔｉｏｎメッセージ、およびＨＲＰＤネットワークへのハンドオーバを準備する工程でのハンドオーバアクセス情報を含むＨＲＰＤメッセージ（ＨＯアクセス情報を含むＨＲＰＤメッセージ）を調整し、この場合、２つのメッセージはＭＭＥによりｅＮＢに送信されるＳ１−ＡＰメッセージの中に埋め込まれる。Ｈａｎｄｏｆｆ  Ｄｉｒｅｃｔｉｏｎメッセージは１ｘＲＴＴネットワークへのハンドオーバのためのアクセス構成情報を伝える。
【００４８】
ステップ２０９：ＥＵＴＲＡＮは、Ｍｏｂｉｌｉｔｙ  Ｆｒｏｍ  ＥＵＴＲＡＮメッセージを構築し、１ｘＲＴＴ  Ｈａｎｄｏｆｆ  Ｄｉｒｅｃｔｉｏｎメッセージも、ＨＯアクセス情報を含むＨＲＰＤメッセージも同時に伝えるメッセージを端末に送信する。端末は、受信された１ｘＲＴＴハンドオフＤｉｒｅｃｔｉｏｎを１ｘＲＴＴハンドオーバのためのハンドオーバコマンドとして使用し、１ｘＲＴＴへのアクセスを開始し、ＨＯアクセス情報を含む受信されたＨＲＰＤメッセージをＨＲＰＤハンドオーバのためのハンドオーバコマンドとして使用し、ＨＲＰＤへのアクセスを開始する。
【００４９】
ステップ２１０：端末は１ｘ  ＭＯ呼設定手順を開始する。
【００５０】
ステップ２１１：端末はＨＲＰＤに対する最適化ハンドオーバ手順を開始する。
【００５１】
ステップ２１０およびステップ２１１の間には時間順序がないこと、すなわちステップ２１０がまず行われてもよい、またはステップ２１１がまず行われてもよい、またはステップ２１０およびステップ２１１が同時に行われてもよいことを当業者は理解されよう。
【００５２】
工程では、ＥＵＴＲＡＮはまた、１ｘＲＴＴハンドオフＤｉｒｅｃｔｉｏｎメッセージ、およびＨＯアクセス情報を含むＨＲＰＤメッセージの調整および同期を行わなくてもよい。代わりに、いずれかのメッセージを受信した後、ＥＵＴＲＡＮは、対応するＭｏｂｉｌｉｔｙ  Ｆｒｏｍ  ＥＵＴＲＡＮメッセージにより、すなわちハンドオフＤｉｒｅｃｔｉｏｎメッセージを含むＭｏｂｉｌｉｔｙ  Ｆｒｏｍ  ＥＵＴＲＡＮメッセージ、およびＨＯアクセス情報を含むＨＲＰＤメッセージを含むＭｏｂｉｌｉｔｙ  Ｆｒｏｍ  ＥＵＴＲＡＮメッセージによりメッセージを端末に送信する。ＥＵＴＲＡＮが、エンハンストＣＳＦＢおよびＰＳ最適化ハンドオーバを行う必要があることを決定した場合、１ｘＲＴＴハンドオフＤｉｒｅｃｔｉｏｎメッセージ、およびＨＯアクセス情報を含むＨＲＰＤメッセージが送信された後にだけ、無線資源が解放されることが保証される一方で、端末は、１ｘＲＴＴハンドオフＤｉｒｅｃｔｉｏｎメッセージ、およびＨＯアクセス情報を含むＨＲＰＤメッセージを受信した後にだけ、電波インタフェースハンドオーバを、すなわちＬＴＥの電波インタフェースから、１ｘネットワークの電波インタフェースおよびＨＲＰＤの電波インタフェースへのハンドオーバを行う。
【００５３】
本発明の第３の実施形態が、図３Ｂを参照して以下に説明される。実施形態は、ネットワーク制御されたエンハンストＣＳＦＢおよびＰＳ非最適化ハンドオーバのための調整された制御方法を説明する。
【００５４】
ステップ３０１：ＵＥがＥ−ＵＴＲＡＮにアタッチし、Ｓ１０２トンネルにより１ｘＲＴＴ  ＣＳに事前登録し、さらにＨＲＰＤネットワークに事前登録する。Ｅ−ＵＴＲＡＮにアタッチする工程の間、ＵＥはＳＶＤＯをサポートする自分のケイパビリティをネットワーク側に報告する。ＵＥのＳＶＤＯケイパビリティは、ＵＥのネットワークケイパビリティとして報告されてもよい、またはＵＥの無線ケイパビリティとして報告されてもよい。
【００５５】
加えて、端末は、エンハンストＣＳＦＢケイパビリティサポート指示をネットワーク側に報告する。指示を受信した後、ＭＭＥもエンハンストＣＳＦＢをサポートすることをＭＭＥが決定した場合、ＭＭＥは、エンハンストＣＳＦＢ  Ｏｐｅｒａｔｉｏｎ  Ｐｏｓｓｉｂｌｅ指示をＳ１メッセージにより、たとえば初期Ｃｏｎｔｅｘｔ設定要求メッセージによりＥ−ＵＴＲＡＮに送信する。指示に従って、Ｅ−ＵＴＲＡＮは、ネットワーク側も端末もエンハンストＣＳＦＢをサポートすると判断することができる。端末のエンハンストＣＳＦＢケイパビリティサポート指示は、端末のネットワークケイパビリティとして報告されてもよい、または端末の無線ケイパビリティとして報告されてもよい。
【００５６】
ステップ３０２：ＵＥは、通常のＣＳＦＢの端末発信手順である１ｘ端末発信手順を開始することを決定する。
【００５７】
ステップ３０３：端末はＳｅｒｖｉｃｅ  Ｒｅｑｕｅｓｔ手順を起動し、手順でＣＳＦＢインジケータをＭＭＥに伝え、その結果、ＭＭＥはＣＳＦＢインジケータを含む情報をＥＵＴＲＡＮに送信する。
【００５８】
一実施形態では、端末がステップ３０１でエンハンストＣＳＦＢケイパビリティサポート指示をネットワークに伝えない場合、端末により送信されるＳｅｒｖｉｃｅ  ＲｅｑｕｅｓｔメッセージがエンハンストＣＳＦＢインジケータ情報をＭＭＥに伝える。受信されたエンハンストＣＳＦＢインジケータ情報に従って、ＭＭＥ自体もエンハンストＣＳＦＢをサポートすることをＭＭＥが決定する場合、ＭＭＥは、エンハンストＣＳＦＢインジケータ情報をＥＵＴＲＡＮに転送または送信し、この場合、インジケータ情報は、ネットワーク側および端末が１ｘネットワークに対するエンハンストＣＳＦＢをサポートすることを示すために使用される。このステップは、既存のＣＳＦＢインジケータ情報要素を拡張することにより実現されてもよく、その結果、情報要素は、通常のＣＳＦＢインジケータおよびエンハンストＣＳＦＢインジケータをサポートすることができる。
【００５９】
ステップ３０４：任意選択で、ＥＵＴＲＡＮは、ＨＲＰＤおよび１ｘＲＴＴの測定情報を含む測定報告を端末から得て、この場合、測定報告は、従来技術での測定報告と同一である。
【００６０】
ステップ３０５ａ〜３０７ａ：ＥＵＴＲＡＮは端末に１ｘＲＴＴへのハンドオーバを準備する工程を行わせる。ＥＵＴＲＡＮはＥＵＴＲＡ準備要求メッセージからのハンドオーバを端末に送信し、この場合、ハンドオーバ要求はターゲットネットワークに関する情報を含み、端末はＵＬ  Ｈａｎｄｏｖｅｒ  Ｐｒｅｐａｒａｔｉｏｎ  ＴｒａｎｓｆｅｒメッセージをＥＵＴＲＡＮに送信する。
【００６１】
工程では、エンハンストＣＳＦＢケイパビリティサポート指示が無線ケイパビリティとして報告された場合、ＥＵＴＲＡＮによりＭＭＥに送信されるＳ１−ＡＰメッセージが、ＭＭＥがエンハンストＣＳＦＢを行う必要があることを示す必要がある。機能はまた、既存のＳ１−ＡＰメッセージ中のパラメータに従ってＭＭＥにより判断されてもよく、ＭＭＥは、エンハンストＣＳＦＢが行われる必要があることを決定し、たとえば、Ｓ１−ＡＰメッセージがＳＲＶＣＣ情報パラメータまたはＲＡＮＤパラメータを含むが、ＭＭＥはＳＲＶＣＣ指示を有しない場合、ＭＭＥは、エンハンストＣＳＦＢを行う必要があることを決定する。端末によりＭＭＥに報告されるエンハンストＣＳＦＢケイパビリティサポート指示が、端末の無線ケイパビリティとして報告されたとき、ＭＭＥおよびＥＵＴＲＡＮの構成が調和せず、かつエンハンストＣＳＦＢが行われることができない場合、ＭＭＥはＥＵＴＲＡＮに通常のＣＳＦＢを行うことを通知する。
【００６２】
ステップ３０８：ＵＥのＳＶＤＯケイパビリティ、および受信されたエンハンストＣＳＦＢ  Ｏｐｅｒａｔｉｏｎ  Ｐｏｓｓｉｂｌｅ情報に従って、ＥＵＴＲＡＮは、エンハンストＣＳＦＢを行う必要があることを決定する。任意選択で、ＰＳ非最適化ハンドオーバが、ＰＳ非最適化ハンドオーバサポート情報、測定報告情報、および事前に構成されたポリシのうちの少なくとも１つに従って決定されてもよい。ＥＵＴＲＡＮは、１ｘＲＴＴネットワークへのハンドオーバを準備する工程でのＨａｎｄｏｆｆ  Ｄｉｒｅｃｔｉｏｎ  メッセージ、およびＨＲＰＤネットワークへのハンドオーバを準備する工程でのＨＯアクセス情報を含むＨＲＰＤメッセージを調整する。１ｘＲＴＴネットワークへのハンドオーバを準備する工程でのＨａｎｄｏｆｆ  Ｄｉｒｅｃｔｉｏｎメッセージは、ＭＭＥによりｅＮＢに送信されるＳ１−ＡＰメッセージ内に埋め込まれる。Ｈａｎｄｏｆｆ  Ｄｉｒｅｃｔｉｏｎメッセージは、１ｘＲＴＴハンドオーバのためのアクセス構成情報を伝える。加えて、ＥＵＴＲＡＮは、ＨＲＰＤ非最適化Ｒｅｄｉｒｅｃｔｉｏｎメッセージを構築し、この場合、メッセージはＨＲＰＤ  Ｃａｒｒｉｅｒ情報、ＨＲＰＤセル情報、およびＨＲＰＤページングチャネル情報のうちの少なくとも１つを含むことができる。ＥＵＴＲＡＮは、ＨＲＰＤ非最適化ＲｅｄｉｒｅｃｔｉｏｎメッセージおよびＨａｎｄｏｆｆ  Ｄｉｒｅｃｔｉｏｎメッセージを調整する。
【００６３】
ステップ３０９：ＥＵＴＲＡＮはＭｏｂｉｌｉｔｙ  Ｆｒｏｍ  ＥＵＴＲＡＮメッセージを構築し、メッセージを端末に送信し、この場合、メッセージは、１ｘＲＴＴ  Ｈａｎｄｏｆｆ  ＤｉｒｅｃｔｉｏｎメッセージもＨＲＰＤ非最適化Ｒｅｄｉｒｅｃｔｉｏｎメッセージも同時に伝える。端末は、受信された１ｘＲＴＴハンドオフＤｉｒｅｃｔｉｏｎメッセージを１ｘＲＴＴハンドオーバのためのハンドオーバコマンドとして使用し、１ｘＲＴＴへのアクセスを開始する。端末は、ＨＲＰＤへの非最適化ハンドオーバのために必要とされる情報をＨＲＰＤ非最適化Ｒｅｄｉｒｅｃｔｉｏｎメッセージから得て、ＨＲＰＤへの非最適化ハンドオーバを起動する。
【００６４】
ステップ３１０：端末は１ｘＲＴＴ呼設定手順を開始する。
【００６５】
ステップ３１１：端末は、ＥＵＴＲＡＮからＨＲＰＤネットワークへの非最適化ハンドオーバ手順を開始する。
【００６６】
ステップ３１０および３１１の間には時間順序がないこと、すなわちステップ３１０がまず行われてもよい、またはステップ３１１がまず行われてもよい、またはステップ３１０およびステップ３１１が同時に行われてもよいことに留意されたい。
【００６７】
工程では、ＥＵＴＲＡＮはまた、１ｘＲＴＴハンドオフＤｉｒｅｃｔｉｏｎメッセージおよびＨＲＰＤ非最適化Ｒｅｄｉｒｅｃｔｉｏｎメッセージを調整しなくてもよいが、それぞれＲＲＣ  Ｃｏｎｎｅｃｔｉｏｎ  ＲｅｌｅａｓｅメッセージおよびＭｏｂｉｌｉｔｙ  Ｆｒｏｍ  ＥＵＴＲＡＮメッセージを端末に送信する。ＥＵＴＲＡＮがエンハンストＣＳＦＢおよびＰＳ非最適化ハンドオーバを行う必要があることを決定した場合、ＥＵＴＲＡＮは、１ｘＲＴＴハンドオフＤｉｒｅｃｔｉｏｎメッセージおよびＨＲＰＤ  Ｒｅｄｉｒｅｃｔｉｏｎメッセージを送信した後にだけ、対応する無線資源を解放し、端末は、１ｘＲＴＴハンドオフＤｉｒｅｃｔｉｏｎメッセージおよびＨＲＰＤ  Ｒｅｄｉｒｅｃｔｉｏｎメッセージを受信した後にだけ、電波インタフェースハンドオーバを、すなわちＬＴＥの電波インタフェースから、１ｘネットワークの電波インタフェースおよびＨＲＰＤの電波インタフェースへのハンドオーバを行う。
【００６８】
前の実施形態での方法を使用することにより、ネットワーク側は、端末およびネットワークによりエンハンストＣＳＦＢケイパビリティをサポートするケイパビリティを調整し、エンハンストＣＳＦＢおよびＰＳハンドオーバのためのハンドオーバコマンドを調整してもよい。通常のＣＳＦＢと比較して、エンハンストＣＳＦＢはよりよい性能を、特にハンドオーバ速度を有する。
【００６９】
本発明の第４の実施形態が、図４を参照して以下に説明される。実施形態は、ネットワーク制御されたＳＲＶＣＣおよびＰＳ最適化ハンドオーバのための調整された制御方法を説明する。図４に示されるように、
【００７０】
ステップ４０１では、端末が、端末のＳＶＤＯケイパビリティ情報および端末のＳＲＶＣＣケイパビリティ情報をネットワーク側に送信する。端末のＳＶＤＯケイパビリティは、端末の無線ケイパビリティでもよい、または端末のネットワークケイパビリティでもよい。端末によりＳＲＶＣＣをサポートするケイパビリティは、端末のネットワークケイパビリティである。
【００７１】
ステップ４０２では、ＥＵＴＲＡＮが、ＨＲＰＤおよび１ｘＲＴＴの測定情報を含む測定報告を端末から得る。
【００７２】
ステップ４０３ａ〜４０５ａでは、ＥＵＴＲＡＮは端末に１ｘＲＴＴへのハンドオーバを準備する工程を行わせる。ＥＵＴＲＡＮは、ＥＵＴＲＡ準備要求メッセージからのハンドオーバを端末に送信し、この場合、ハンドオーバ準備要求メッセージはターゲットネットワークに関する情報を含み、端末はＵＬ  Ｈａｎｄｏｖｅｒ  Ｐｒｅｐａｒａｔｉｏｎ  ＴｒａｎｓｆｅｒメッセージをＥＵＴＲＡＮに送信する。
【００７３】
ステップ４０３ｂ〜４０５ｂでは、ＥＵＴＲＡＮは端末にＨＲＰＤへのハンドオーバを準備する工程を行わせる。ＥＵＴＲＡＮは、ＥＵＴＲＡ準備要求メッセージからのハンドオーバを端末に送信し、この場合、ハンドオーバ要求はターゲットネットワークに関する情報を含み、端末はＵＬ  Ｈａｎｄｏｖｅｒ  Ｐｒｅｐａｒａｔｉｏｎ  ＴｒａｎｓｆｅｒメッセージをＥＵＴＲＡＮに送信する。
【００７４】
ステップ４０６では、ＥＵＴＲＡＮは、ＵＥのＳＶＤＯケイパビリティ、ＳＲＶＣＣサポート情報、および測定報告情報に従って１ｘネットワークに対するＳＲＶＣＣを行う必要があることを決定し、測定報告情報に従って、ならびに事前に構成されたポリシ、ＰＳ最適化ハンドオーバ情報、および測定報告情報のうちの少なくとも１つに従って、ＨＲＰＤネットワークへの最適化ハンドオーバを行うことを決定する。ＥＵＴＲＡＮの別の調整ステップは、第２の実施形態での対応する調整ステップと同一である。
【００７５】
ステップ４０７〜４０９は、第２の実施形態での対応するステップと同一である。
【００７６】
工程では、ＥＵＴＲＡＮはまた、１ｘＲＴＴハンドオフＤｉｒｅｃｔｉｏｎメッセージ、およびＨＯアクセス情報を含むＨＲＰＤメッセージを調整しなくてもよい。代わりに、いずれかのメッセージを受信した後、ＥＵＴＲＡＮは、メッセージを対応するＭｏｂｉｌｉｔｙ  Ｆｒｏｍ  ＥＵＴＲＡＮメッセージにより端末に送信し、ＥＵＴＲＡＮが、ＳＲＶＣＣおよびＰＳ最適化ハンドオーバを行う必要があることを決定した場合、ＥＵＴＲＡＮは、１ｘＲＴＴハンドオフＤｉｒｅｃｔｉｏｎメッセージ、およびＨＯアクセス情報を含むＨＲＰＤメッセージが送信された後にだけ無線資源が解放されることを保証する。端末は、１ｘＲＴＴハンドオフＤｉｒｅｃｔｉｏｎメッセージ、およびＨＯアクセス情報を含むＨＲＰＤメッセージを受信した後にだけ、電波インタフェースハンドオーバを、すなわちＬＴＥの電波インタフェースから、１ｘネットワークの電波インタフェースおよびＨＲＰＤネットワークの電波インタフェースへのハンドオーバを行う。
【００７７】
本発明の第５の実施形態が、図５を参照して以下に説明される。実施形態は、ネットワーク制御ＳＲＶＣＣおよびＰＳ非最適化ハンドオーバのための調整された制御方法を説明する。
【００７８】
ステップ５０１では、端末が、端末のＳＶＤＯケイパビリティ情報および端末のＳＲＶＣＣケイパビリティ情報をネットワーク側に送信する。端末のＳＶＤＯケイパビリティは、端末の無線ケイパビリティでもよい、または端末のネットワークケイパビリティでもよい。端末によりＳＲＶＣＣをサポートするケイパビリティは、端末のネットワークケイパビリティである。
【００７９】
ステップ５０２では、ＥＵＴＲＡＮは、ＨＲＰＤおよび１ｘＲＴＴの測定情報を含む測定報告を端末から得る。
【００８０】
ステップ５０３〜５０５では、ＥＵＴＲＡＮは端末に１ｘＲＴＴへのハンドオーバを準備する工程を行わせる。ＥＵＴＲＡＮは、ＥＵＴＲＡ準備要求メッセージからのハンドオーバを端末に送信し、この場合、ハンドオーバ要求はターゲットネットワークに関する情報を含み、端末はＵＬ  Ｈａｎｄｏｖｅｒ  Ｐｒｅｐａｒａｔｉｏｎ  ＴｒａｎｓｆｅｒメッセージをＥＵＴＲＡＮに送信する。
【００８１】
ステップ５０６では、ＥＵＴＲＡＮは、ＵＥのＳＶＤＯケイパビリティ情報、ＳＲＶＣＣサポート情報、および測定報告情報に従ってＳＲＶＣＣを行う必要があることを決定し、測定報告情報、事前に構成されたポリシ、最適化ハンドオーバ失敗、および最適化ハンドオーバをネットワークがサポートしないことのうちの少なくとも１つに従って、ＨＲＰＤネットワークへの非最適化ハンドオーバを行うことを決定する。ＥＵＴＲＡＮの別の調整ステップは、第３の実施形態での対応する調整ステップと同一である。
【００８２】
ステップ５０７〜５０９は、第３の実施形態での対応するステップと同一である。
【００８３】
工程では、ＥＵＴＲＡＮはまた、１ｘＲＴＴハンドオフＤｉｒｅｃｔｉｏｎメッセージおよびＨＲＰＤ  Ｒｅｄｉｒｅｃｔｉｏｎメッセージを調整しなくてもよいが、ＲＲＣ  Ｃｏｎｎｅｃｔｉｏｎ  ＲｅｌｅａｓｅメッセージおよびＭｏｂｉｌｉｔｙ  Ｆｒｏｍ  ＥＵＴＲＡＮメッセージをそれぞれ端末に送信する。ＥＵＴＲＡＮがＳＲＶＣＣおよびＰＳ非最適化ハンドオーバを行う必要があることを決定した場合、ＥＵＴＲＡＮは、１ｘＲＴＴハンドオフＤｉｒｅｃｔｉｏｎメッセージおよびＨＲＰＤ  Ｒｅｄｉｒｅｃｔｉｏｎメッセージを送信した後にだけ、無線資源を解放する。端末は、１ｘＲＴＴハンドオフＤｉｒｅｃｔｉｏｎメッセージおよびＨＲＰＤ  Ｒｅｄｉｒｅｃｔｉｏｎメッセージを受信した後にだけ電波インタフェースハンドオーバを、すなわちＬＴＥの電波インタフェースから、１ｘネットワークの電波インタフェースおよびＨＲＰＤの電波インタフェースへのハンドオーバを行う。
【００８４】
本発明の一実施形態により提供される装置ハンドオーバが、図６を参照して以下に説明される。
【００８５】
本発明の一実施形態がハンドオーバのための装置を提供する。装置は、受信モジュール６０１、決定モジュール６０２、および送信モジュール６０３を含む。受信モジュール６０１は、ネットワーク側および端末が１ｘネットワークに対するエンハンストＣＳＦＢをサポートするかどうかを示すために使用される指示情報をＭＭＥから受信する。決定モジュール６０２は、ネットワーク側および端末が１ｘネットワークに対するエンハンストＣＳＦＢをサポートするとき、１ｘネットワークに対するエンハンストＣＳＦＢを行うことを決定し、かつＨＲＰＤネットワークへのハンドオーバを行うことを決定するように構成される。送信モジュール６０３は、決定モジュール６０２が１ｘネットワークに対するエンハンストＣＳＦＢを行うことを決定し、かつＨＲＰＤネットワークへのハンドオーバを行うことを決定したとき、端末に１ｘネットワークに対するエンハンストＣＳＦＢを行わせ、かつＨＲＰＤネットワークへのハンドオーバを行わせるために使用される、第１のメッセージを端末に送信するように構成される。決定モジュール６０２は、ネットワーク側および／または端末が１ｘネットワークに対するエンハンストＣＳＦＢをサポートしないとき、通常のＣＳＦＢを開始する、または手順を終了するようにさらに構成される。
【００８６】
加えて、受信モジュール６０１は、ＨＲＰＤおよび１ｘＲＴＴの測定情報を含む測定報告を端末から受信し、かつ測定報告情報を決定モジュール６０２に送信するようにさらに構成される。
【００８７】
決定モジュール６０２は、第１の決定ユニットおよび第２の決定ユニットを含む。第１の決定ユニットは、ネットワーク条件に従って、ＨＲＰＤネットワークへの最適化ハンドオーバを行うことを決定するように構成され、第２の決定ユニットは、ネットワーク条件に従って、ＨＲＰＤネットワークへの非最適化ハンドオーバを行うことを決定するように構成される。
【００８８】
装置は、調整モジュール６０４および構築モジュール６０５をさらに含む。受信モジュール６０１は、１ｘネットワークへのハンドオーバを準備する工程でＨａｎｄｏｆｆ  Ｄｉｒｅｃｔｉｏｎメッセージを受信するようにさらに構成される。調整モジュール６０４は、第１の決定ユニットがＨＲＰＤネットワークへの最適化ハンドオーバを行うことを決定したとき、１ｘネットワークへのハンドオーバを準備する工程で受信モジュール６０１により受信されるＨａｎｄｏｆｆ  Ｄｉｒｅｃｔｉｏｎメッセージ、およびＨＲＰＤネットワークへのハンドオーバを準備する工程で受信されるＨＯアクセス情報を含むＨＲＰＤメッセージを調整するように構成される。構築モジュール６０５は、Ｈａｎｄｏｆｆ  Ｄｉｒｅｃｔｉｏｎメッセージ、およびＨＯアクセス情報を含むＨＲＰＤメッセージを含むＭｏｂｉｌｉｔｙ  Ｆｒｏｍ  ＥＵＴＲＡＮメッセージを構築するように構成され、送信モジュール６０３は、Ｍｏｂｉｌｉｔｙ  Ｆｒｏｍ  ＥＵＴＲＡＮメッセージを端末に送信するようにさらに構成される、
あるいは
構築モジュール６０５は、ＨＲＰＤ  Ｃａｒｒｉｅｒ情報、ＨＲＰＤセル情報、およびＨＲＰＤページングチャネル情報のうちの少なくとも１つを含むＨＲＰＤ非最適化Ｒｅｄｉｒｅｃｔｉｏｎメッセージを構築するように構成される。調整モジュール６０４は、第２の決定ユニットがＨＲＰＤネットワークへの非最適化ハンドオーバを行うことを決定したとき、１ｘネットワークへのハンドオーバを準備する工程で受信モジュール６０１により得られるＨａｎｄｏｆｆ  Ｄｉｒｅｃｔｉｏｎメッセージ、および構築モジュール６０５により構築されるＨＲＰＤ非最適化Ｒｅｄｉｒｅｃｔｉｏｎメッセージを調整するようにさらに構成される。構築モジュール６０５は、Ｈａｎｄｏｆｆ  ＤｉｒｅｃｔｉｏｎメッセージおよびＨＲＰＤ非最適化Ｒｅｄｉｒｅｃｔｉｏｎメッセージを含むＭｏｂｉｌｉｔｙ  Ｆｒｏｍ  ＥＵＴＲＡＮメッセージを構築するように構成され、送信モジュール６０３は、Ｍｏｂｉｌｉｔｙ  Ｆｒｏｍ  ＥＵＴＲＡＮメッセージを端末に送信するようにさらに構成される。
【００８９】
送信モジュール６０３は、第１の決定ユニットがＨＲＰＤネットワークへの最適化ハンドオーバを行うことを決定したとき、ハンドオフＤｉｒｅｃｔｉｏｎメッセージを含むＭｏｂｉｌｉｔｙ  Ｆｒｏｍ  ＥＵＴＲＡＮメッセージ、およびＨＯアクセス情報を含むＨＲＰＤメッセージを含むＭｏｂｉｌｉｔｙ  Ｆｒｏｍ  ＥＵＴＲＡＮメッセージを端末に送信するようにさらに構成され、この場合、ハンドオフＤｉｒｅｃｔｉｏｎメッセージを含むＭｏｂｉｌｉｔｙ  Ｆｒｏｍ  ＥＵＴＲＡＮメッセージは、端末に１ｘネットワークへのハンドオーバを行わせるために使用され、ＨＯアクセス情報を含むＨＲＰＤメッセージを含むＭｏｂｉｌｉｔｙ  Ｆｒｏｍ  ＥＵＴＲＡＮメッセージは、端末にＨＲＰＤネットワークへのハンドオーバを行わせるために使用される、あるいは
送信モジュール６０３は、第２の決定ユニットがＨＲＰＤネットワークへの非最適化ハンドオーバを行うことを決定したとき、ＲＲＣ  Ｃｏｎｎｅｃｔｉｏｎ  ＲｅｌｅａｓｅメッセージおよびＭｏｂｉｌｉｔｙ  Ｆｒｏｍ  ＥＵＴＲＡＮメッセージを端末に送信するようにさらに構成され、この場合、ＲＲＣ  Ｃｏｎｎｅｃｔｉｏｎ  Ｒｅｌｅａｓｅメッセージは、端末に１ｘネットワークへのハンドオーバを行わせるために使用され、Ｍｏｂｉｌｉｔｙ  Ｆｒｏｍ  ＥＵＴＲＡＮメッセージは、端末にＨＲＰＤネットワークへの非最適化ハンドオーバを行わせるために使用される。
【００９０】
本発明の一実施形態により提供される、ハンドオーバのための別の装置が、図７を参照して以下に説明される。
【００９１】
本発明の一実施形態により提供される、ハンドオーバのための別の装置は、取得モジュール７０１、決定モジュール７０２、および送信モジュール７０３を含む。取得モジュール７０１は、端末のＳＶＤＯケイパビリティ情報およびＳＲＶＣＣケイパビリティ情報を得るように構成される。決定モジュール７０２は、ネットワーク条件に従って、１ｘネットワークに対するＳＲＶＣＣ手順、およびＨＲＰＤネットワークへのハンドオーバを行うことを決定するように構成される。送信モジュール７０３は、端末に１ｘネットワークへのハンドオーバを行わせ、かつＨＲＰＤネットワークへのハンドオーバを行わせるために使用される、第２のメッセージを端末に送信するように構成される。
【００９２】
取得モジュール７０１は、ＨＲＰＤおよび１ｘＲＴＴの測定情報を含む測定報告を端末から受信し、かつ測定報告情報を決定モジュール７０２に送信するようにさらに構成される。
【００９３】
決定モジュール７０２は、第３の決定ユニットおよび第４の決定ユニットを含む。第３の決定ユニットは、ネットワーク条件に従って、ＨＲＰＤネットワークへの最適化ハンドオーバを行うことを決定するように構成される。第４の決定ユニットは、ネットワーク条件に従って、ＨＲＰＤネットワークへの非最適化ハンドオーバを行うことを決定するように構成される。
【００９４】
装置は、調整モジュール７０４および構築モジュール７０５をさらに含む。取得モジュール７０１は、１ｘネットワークへのハンドオーバを準備する工程でＨａｎｄｏｆｆ  Ｄｉｒｅｃｔｉｏｎメッセージを受信するようにさらに構成される。調整モジュール７０４は、１ｘネットワークへのハンドオーバを準備する工程で取得モジュール７０１により受信されるＨａｎｄｏｆｆ  Ｄｉｒｅｃｔｉｏｎメッセージ、およびＨＲＰＤネットワークへのハンドオーバを準備する工程で受信されるＨＯアクセス情報を含むＨＲＰＤメッセージを調整するように構成される。構築モジュール７０５は、Ｈａｎｄｏｆｆ  Ｄｉｒｅｃｔｉｏｎメッセージ、およびＨＯアクセス情報を含むＨＲＰＤメッセージを含むＭｏｂｉｌｉｔｙ  Ｆｒｏｍ  ＥＵＴＲＡＮメッセージを構築するように構成され、送信モジュール７０５は、Ｍｏｂｉｌｉｔｙ  Ｆｒｏｍ  ＥＵＴＲＡＮメッセージを端末に送信するようにさらに構成される、
あるいは
構築モジュール７０５は、ＨＲＰＤ  Ｃａｒｒｉｅｒ情報、ＨＲＰＤセル情報、およびＨＲＰＤページングチャネル情報のうちの少なくとも１つを含むＨＲＰＤ非最適化Ｒｅｄｉｒｅｃｔｉｏｎメッセージを構築するように構成される。構築モジュール７０４は、第４の決定ユニットが、ＨＲＰＤネットワークへの非最適化ハンドオーバを行うことを決定したとき、１ｘネットワークへのハンドオーバを準備する工程で取得モジュール７０１により得られるＨａｎｄｏｆｆ  Ｄｉｒｅｃｔｉｏｎメッセージ、および構築モジュール７０５により構築されるＨＲＰＤ非最適化Ｒｅｄｉｒｅｃｔｉｏｎメッセージを調整するようにさらに構成される。構築モジュール７０５は、Ｈａｎｄｏｆｆ  ＤｉｒｅｃｔｉｏｎメッセージおよびＨＲＰＤ非最適化Ｒｅｄｉｒｅｃｔｉｏｎメッセージを含むＭｏｂｉｌｉｔｙ  Ｆｒｏｍ  ＥＵＴＲＡＮメッセージを構築するように構成され、送信モジュール７０３は、Ｍｏｂｉｌｉｔｙ  Ｆｒｏｍ  ＥＵＴＲＡＮメッセージを端末に送信するようにさらに構成される。
【００９５】
送信モジュール７０３は、第３の決定ユニットがＨＲＰＤネットワークへの最適化ハンドオーバを行うことを決定したとき、ハンドオフＤｉｒｅｃｔｉｏｎメッセージを含むＭｏｂｉｌｉｔｙ  Ｆｒｏｍ  ＥＵＴＲＡＮメッセージ、およびＨＯアクセス情報を含むＨＲＰＤメッセージを含むＭｏｂｉｌｉｔｙ  Ｆｒｏｍ  ＥＵＴＲＡＮメッセージを端末に送信するようにさらに構成され、この場合、ハンドオフＤｉｒｅｃｔｉｏｎメッセージを含むＭｏｂｉｌｉｔｙ  Ｆｒｏｍ  ＥＵＴＲＡＮメッセージは、端末に１ｘネットワークへのハンドオーバを行わせるために使用され、ＨＯアクセス情報を含むＨＲＰＤメッセージを含むＭｏｂｉｌｉｔｙ  Ｆｒｏｍ  ＥＵＴＲＡＮメッセージは、端末にＨＲＰＤネットワークへのハンドオーバを行わせるために使用される、あるいは
送信モジュール７０３は、第４の決定ユニットがＨＲＰＤネットワークへの非最適化ハンドオーバを行うことを決定したとき、ＲＲＣ  Ｃｏｎｎｅｃｔｉｏｎ  ＲｅｌｅａｓｅメッセージおよびＭｏｂｉｌｉｔｙ  Ｆｒｏｍ  ＥＵＴＲＡＮメッセージを端末に送信するようにさらに構成され、この場合、ＲＲＣ  Ｃｏｎｎｅｃｔｉｏｎ  Ｒｅｌｅａｓｅメッセージは、端末に１ｘネットワークへのハンドオーバを行わせるために使用され、Ｍｏｂｉｌｉｔｙ  Ｆｒｏｍ  ＥＵＴＲＡＮメッセージは、端末にＨＲＰＤネットワークへの非最適化ハンドオーバを行わせるために使用される。
【００９６】
前述の実施形態は現在の例示的実施形態でしかなく、これらが本特許の制限として構築されたのではないこと、およびすべての別の類似する修正形態および変形形態が本特許の範囲に入ることを当業者は理解することができる。
【００９７】
本発明の実施形態での用語「受信する」は、別のモジュールから積極的に情報を得ることとして解釈されても、別のモジュールにより送信される情報を受信することとして解釈されてもよいことを当業者は理解することができる。前述のモジュールは、１つのモジュールに組み合わせられてもよい、または複数のサブモジュールにさらに分割されてもよい。
【００９８】
実施形態での方法のステップの一部が、プログラムが適切なハードウェアに命令することにより実現されてもよい。プログラムは、コンピュータ読出可能記憶媒体に記憶されてもよい。
【００９９】
本発明の実施形態のシーケンス番号は、説明のためだけに使用され、実施形態の長所も短所も表さない。
【０１００】
特許請求の範囲で説明される解決策はまた、本発明の保護範囲に入る。
【０１０１】
上記で詳述されているのは、本発明の単なる例示的実施形態であり、本発明の保護範囲はそれに限定されない。本発明の精神および原理から逸脱することなく行われる任意の修正、均等の置換、または改善は、本発明の保護範囲に入るものとする。
【図１】
0005230843.tif 000002
【図２】
0005230843.tif 000003
【図３】
0005230843.tif 000004
【図４】
0005230843.tif 000005
【図５】
0005230843.tif 000006
【図６】
0005230843.tif 000007
【図７】
0005230843.tif 000008